【手続補正書】
【提出日】平成19年11月30日(2007.11.30)
【手続補正１】
【補正対象書類名】明細書
【補正対象項目名】００３５
【補正方法】変更
【補正の内容】
【００３５】
この発明は上記のような問題点を解消するためになされたもので、外光の影響のある場合や、画像表示手段の特性により黒表示時の輝度が大きな値となる場合においても、鑑賞者にとってはコントラストの大きい視認性の良い画像を表示できるとともに、白表示時の輝度に対する割合の増大を軽減することによる画像表示手段におけるコストや消費電力の増加や、耐用年数の減少などの問題が発生しない画像表示装置を得ることを目的とする。
【手続補正２】
【補正対象書類名】明細書
【補正対象項目名】００６１
【補正方法】変更
【補正の内容】
【００６１】
黒表示特性指定手段５Ａは、鑑賞者により指定された外光明るさ指定バー３０の値より、画像表示手段３の表面において反射される外光の明るさを指示する黒表示特性指定データＢＤ１を生成する。黒表示特性指定データＢＤ１は、例えば外光明るさ指定バー３０の値とすることができる。よって、図２の例においては、黒表示特性指定手段５Ａは黒表示特性指定データＢＤ１として“３”を黒近似データ算出手段４Ａへと出力する。
【手続補正３】
【補正対象書類名】明細書
【補正対象項目名】００６２
【補正方法】変更
【補正の内容】
【００６２】
黒近似データ算出手段４Ａは、黒表示特性指定データＢＤ１に基づき、画像表示手段３における黒表示時の輝度、色度及び三刺激値（３つの画像指標値）のうち少なくとも一つに関与するデータである黒近似データＲ３，Ｇ３，Ｂ３を算出し、黒補正手段２Ａへと出力する。
【手続補正４】
【補正対象書類名】明細書
【補正対象項目名】００６８
【補正方法】変更
【補正の内容】
【００６８】
したがって、ステップＳ１２で、上述した三刺激値の比と上記の輝度の鑑賞者による指定値Ｙｅより画像表示手段３において反射される外光の三刺激値Ｘ２、Ｙ２、Ｚ２の鑑賞者による指定値であるＸｅ、Ｙｅ、Ｚｅを算出する。なお、黒近似データ算出手段４Ａに保持する外光の反射光の三刺激値比は、画像表示装置が使用される環境であらかじめ測定した値からあらかじめ設定しておけばよい。また、画像表示装置が使用される環境があらかじめ不明な場合は、代表的な光源の三刺激値の比を用いても良い。例えば、外光の反射光の分光分布が標準の光源であるＤ65の分光分布と等しいと仮定する場合、Ｘｅ：Ｙｅ：Ｚｅ＝０．９５０５：１：１．０８９であることより、Ｙｅの値よりＸｅ，Ｚｅの値を求めることができる。
【手続補正５】
【補正対象書類名】明細書
【補正対象項目名】００７１
【補正方法】変更
【補正の内容】
【００７１】
外光の影響のない状態において、画像表示手段３に黒補正後データＲ２，Ｇ２，Ｂ２が入力された場合に、画像表示手段３上に表示される色の三刺激値をＸ１、Ｙ１、Ｚ１とする。画像表示手段３において、入力される黒補正後データＲ２，Ｇ２，Ｂ２の大きさと、表示される色の三刺激値Ｘ１、Ｙ１、Ｚ１の関係が、下記の式（６）で表されるものとする。ここで、三刺激値は輝度および色度に相当し、三刺激値のうちＹ１は輝度に相当する値である。
【手続補正６】
【補正対象書類名】明細書
【補正対象項目名】００７３
【補正方法】変更
【補正の内容】
【００７３】
式（６）において、ａｘｒ，ａｙｒ，ａｚｒ，ａｘｇ，ａｙｇ、ａｚｇ、ａｘｂ，ａｙｂ，ａｚｂ、およびＸｂｋ１，Ｙｂｋ１，Ｚｂｋ１は画像表示手段３の特性に依存する値であり、測定によりあらかじめ求めることができる。特に、Ｘｂｋ１，Ｙｂｋ１，Ｚｂｋ１は外光の影響のない状態において画像表示手段３の黒表示時、すなわちＲ２＝Ｇ２＝Ｂ２＝０の時に画像表示手段３上に表示される色の三刺激値である。たとえば、画像表示手段３として液晶ディスプレイを用いる場合、液晶の透過率を変化させることにより光源からの光の透過量を変化させ、画像表示を行うのであるが、黒表示時においても光源からの光を完全に遮断することができず、Ｘｂｋ１，Ｙｂｋ１，Ｚｂｋ１は“０”でない値を持つのが一般的である。
【手続補正７】
【補正対象書類名】明細書
【補正対象項目名】００９９
【補正方法】変更
【補正の内容】
【００９９】
減算手段１１は、入力処理後の画像データＲ１，Ｇ１，Ｂ１および減算用データＲ４，Ｇ４，Ｂ４を入力とし、下記の式（１４）に示す比較的簡単な減算処理を実行することにより、減算後データＲ５，Ｇ５，Ｂ５を算出して出力する。なお、減算手段１１は既存の減算器等のハードウェアで構成しても、ソフトウェアで実現してもよい。
【手続補正８】
【補正対象書類名】明細書
【補正対象項目名】０１０２
【補正方法】変更
【補正の内容】
【０１０２】
画像表示手段３として、入力される黒補正後画像データＲ２，Ｇ２，Ｂ２の大きさと、表示される色（光）の三刺激値Ｘ１，Ｙ１，Ｚ１の関係が、式（６）において下記の式（１５）で表されるような画像表示手段３を想定する。
【手続補正９】
【補正対象書類名】明細書
【補正対象項目名】０１０４
【補正方法】変更
【補正の内容】
【０１０４】
式（６）において、Ｘｂｋ１，Ｙｂｋ１，Ｚｂｋ１は下記の式（１６）で表される値であるとする。
【手続補正１０】
【補正対象書類名】明細書
【補正対象項目名】０１０８
【補正方法】変更
【補正の内容】
【０１０８】
画像表示手段３の表面における外光の反射光の三刺激値をＸ２＝９．５０５、Ｙ２＝１０、Ｚ２＝１０．８９とする。この時、式（１０）より、黒近似データはＲ３＝１０、Ｇ３＝１０、Ｂ３＝１０となるべきである。したがって、黒表示特性指定データを元に黒近似データ算出手段４Ａが算出した黒近似データがＲ３＝１０、Ｇ３＝１０、Ｂ３＝１０である場合、すなわちＸ２＝Ｘｅ、Ｙ２＝Ｙｅ、Ｚ２＝Ｚｅである場合に外光の影響が最適に補正されることになる。本実施の形態においては、Ｒ４＝Ｒ３、Ｇ４＝Ｇ３、Ｂ４＝Ｂ３としているので、減算手段１１より出力される減算後データＲ５，Ｇ５，Ｂ５は、下記の式（１８）で表される。
【手続補正１１】
【補正対象書類名】明細書
【補正対象項目名】０１２７
【補正方法】変更
【補正の内容】
【０１２７】
減算手段１１は入力処理後データＲ１，Ｇ１，Ｂ１および減算用データＲ４，Ｇ４，Ｂ４を入力し、下記の式（２０）に示す減算処理により、黒補正後データＲ２，Ｇ２，Ｂ２を算出して出力する。
【手続補正１２】
【補正対象書類名】明細書
【補正対象項目名】０１５５
【補正方法】変更
【補正の内容】
【０１５５】
そして、黒補正後データＲ２，Ｇ２，Ｂ２を算出した後、テーブルデータ書込手段２２は、入力処理後データＲ１，Ｇ１，Ｂ１の値を書込みアドレスとし、算出された黒補正後データＲ２，Ｇ２，Ｂ２の値を上記書込みアドレスに対応したテーブル形式のテーブルデータＴＤとして、ルックアップテーブル９への書き込みを行う。入力処理後の画像データＲ１，Ｇ１，Ｂ１に対する黒補正後データＲ２，Ｇ２，Ｂ２の算出方法は、実施の形態１で述べた方法を使用することができる。なお、テーブルデータ書込手段２２はハードウェアで構成してもソフトウェアで構成しても良い。
【手続補正１３】
【補正対象書類名】明細書
【補正対象項目名】０１５７
【補正方法】変更
【補正の内容】
【０１５７】
図１５は、入力処理後データＲ１と黒補正後データＲ２の関係の一例を表す図である。同図に示すように、黒補正後データＲ２が入力処理後の画像データＲ１のみに依存する値であり、入力処理後データＧ１およびＢ１には依存しない場合、黒補正後データＲ２は、入力処理後の画像データＲ１のみをアドレスとした１次元のルックアップテーブルにより算出することができる。同じく、黒補正後データＧ２が入力処理後の画像データＧ１のみに依存する値であり、入力処理後の画像データＲ１およびＢ１には依存しない場合、黒補正後データＧ２は、入力処理後の画像データＧ１のみをアドレスとした１次元のルックアップテーブルにより算出することができる。また、黒補正後データＢ２が入力処理後の画像データＢ１のみに依存する値であり、入力処理後の画像データＲ１およびＧ１には依存しない場合、黒補正後データＢ２は、入力処理後の画像データＢ１のみをアドレスとした１次元のルックアップテーブルにより算出することができる。
【手続補正１４】
【補正対象書類名】明細書
【補正対象項目名】０１６３
【補正方法】変更
【補正の内容】
【０１６３】
黒表示特性指定手段５Ｂは、鑑賞者により指定された黒表示明るさ指定バー３１の値より、黒表示特性指定データを生成する。黒表示特性指定データは、例えば黒表示明るさ指定バー３１の値とすることができる。よって、図１６の例においては、黒表示特性指定手段５Ｂは黒表示特性指定データとして“３”を黒近似データ算出手段４Ｂへと出力する。
【手続補正１５】
【補正対象書類名】明細書
【補正対象項目名】０１７７
【補正方法】変更
【補正の内容】
【０１７７】
式（２４）において、ａｘｒ，ａｙｒ，ａｚｒ，ａｘｇ，ａｙｇ，ａｚｇ，ａｘｂ，ａｙｂ，ａｚｂ、およびＸｂｋ１，Ｙｂｋ１，Ｚｂｋ１は画像表示手段３の特性に依存する値である。外光の影響のない状態における黒表示時、すなわちＲ２＝Ｇ２＝Ｂ２＝０の時の三刺激値Ｘｂｋ１，Ｙｂｋ１，Ｚｂｋ１は現実には“０”より大きな値を持つが、理論上はともに“０”となるべき値であり、できるだけ小さな値であることが望ましい。
【手続補正１６】
【補正対象書類名】明細書
【補正対象項目名】０２０２
【補正方法】変更
【補正の内容】
【０２０２】
黒表示特性指定手段５Ｃは、鑑賞者により指定された黒表示輝度指定バー３２の値より、黒表示特性指定データＢＤ３を生成する。黒表示特性指定データＢＤ３は、例えば黒表示輝度指定バー３２で指定される値とすることができる。よって、実施の形態５においては、黒表示特性指定手段５Ｃは黒表示特性指定データＢＤ３として“３０”を黒近似データ算出手段４Ｃへと出力する。
【手続補正１７】
【補正対象書類名】明細書
【補正対象項目名】０２０３
【補正方法】変更
【補正の内容】
【０２０３】
黒近似データ算出手段４Ｃは、黒表示特性指定手段５Ｃからの黒表示特性指定データＢＤ３を入力とし、黒補正後画像データＲ２，Ｇ２，Ｂ２を算出して出力する。実施の形態４においては、黒近似データ算出手段４Ｂにて黒表示指定データＢＤ２から画像表示手段３における黒表示時の輝度の指定値をあらかじめ決められた基準により算出したが、実施の形態５においては、黒表示時の輝度自体を鑑賞者が黒表示特性指定データＢＤ３として指定するように構成されている。すなわち、黒表示特性指定手段５Ｃの黒表示特性指定データＢＤ３の値がそのまま画像表示手段３における黒表示時の輝度の指定値（Ｙｂｋｅ＋Ｙｅ）となる。
【手続補正１８】
【補正対象書類名】明細書
【補正対象項目名】０２１８
【補正方法】変更
【補正の内容】
【０２１８】
鑑賞者は、図２３に示すメニューにおける外光種別指定メニュー３４にて外光の種類を指定し、外光明るさ指定バー３０の値を設定することにより、黒表示特性の指定を行う。外光種別指定メニュー３４および外光明るさ指定バー３０の値の設定方法としては、具体的にはリモコンなどに備える“＋”キーおよび“−”キーを操作することが一例として考えられる。外光種別指定メニュー３４および外光明るさ指定バー３０は、表示色の変化や表示明度の変化などにより、設定されている値を鑑賞者に知らせる。図２３の例においては、外光の種類は“蛍光灯”に、外光の明るさは“３”に指定されている。
【手続補正１９】
【補正対象書類名】明細書
【補正対象項目名】０２５１
【補正方法】変更
【補正の内容】
【０２５１】
【発明の効果】
以上説明したように、この発明における請求項１記載の画像表示装置は、黒表示特性指定手段によって黒表示特性指定データを指定することにより、黒表示特性指定データより導き出された黒近似データに基づく黒補正処理が実行されることによって、鑑賞者にとってコントラストの大きい、視認性の良い画像表示が画像表示手段上で行えるという効果を奏する。
【手続補正２０】
【補正対象書類名】明細書
【補正対象項目名】０２５９
【補正方法】変更
【補正の内容】
【０２５９】
請求項８記載の画像表示装置において、黒表示特性指定データは、画像表示手段の所定の画面の表面における外光の反射光特性を指示するデータを含むため、黒表示特性指定データを適切に設定することにより、外光の影響がある場合においても、鑑賞者にとってコントラストの大きい、視認性の良い画像表示が行える。
【手続補正２１】
【補正対象書類名】明細書
【補正対象項目名】０２６２
【補正方法】変更
【補正の内容】
【０２６２】
請求項１１記載の画像表示装置は、外光の反射光特性として、外光の反射光の明るさを適切に設定することにより、外光の影響がある場合においても、鑑賞者にとってコントラストの大きい、視認性の良い画像表示が行える。
【手続補正２２】
【補正対象書類名】明細書
【補正対象項目名】０２７２
【補正方法】変更
【補正の内容】
【０２７２】
請求項１７記載の画像表示装置の黒近似データ算出手段は、黒近似データに基づき画像表示手段上に表示される色の輝度と画像表示手段における黒表示時の輝度との差が、黒表示時の輝度の指定値となるように、黒近似データを算出するため、外光の影響に加え、画像表示手段の特性により黒表示時の輝度が大きな値となる場合において、黒表示時の輝度が“０”である場合と同等の表示を行うことが可能となる。
【手続補正２３】
【補正対象書類名】明細書
【補正対象項目名】図面の簡単な説明
【補正方法】変更
【補正の内容】
【図面の簡単な説明】
【図１】  この発明の実施の形態１における画像表示装置の構成を示すブロック図である。
【図２】  図１の画像表示手段の画面上に表示される黒表示特性指定手段のメニューの一例について示した説明図である。
【図３】  実施の形態１の黒近似データ算出手段における黒近似データの算出処理の流れの一例を示す説明図である。
【図４】  実施の形態１において、黒表示特性指定データと反射される外光の輝度の指定値との関係を表形式で示した説明図である。
【図５】  図１で示した黒補正手段の内部構成例を示すブロック図である。
【図６】  実施の形態１による画像表示装置における、外光の影響がある状態での鑑賞者の目に入る色の三刺激値との関係を表形式で示した説明図である。
【図７】  外光の影響のない状態での鑑賞者の目に入る色の三刺激値との関係を表形式で示した説明図である。
【図８】  入力処理後の画像データと輝度刺激値との関係を示すグラフである。
【図９】  この発明の実施の形態２による画像表示装置における黒補正手段の構成例を示すブロック図である。
【図１０】  図９の乗算係数算出手段の構成例を示すブロック図である。
【図１１】  入力処理後の画像データと黒補正後データとの関係例を示すグラフである。
【図１２】  実施の形態２による画像表示装置における、外光の影響がある状態での鑑賞者の目に入る色の三刺激値との関係を表形式で示した説明図である。
【図１３】  入力処理後の画像データと輝度刺激値との関係を示したグラフである。
【図１４】  この発明の実施の形態３による画像表示装置の構成例を示すブロック図である。
【図１５】  入力処理手段後データと黒補正後データの関係の一例を表す図である。
【図１６】  実施の形態４の画像表示装置において、黒表示特性指定手段のメニューの一例について示した説明図である。
【図１７】  実施の形態４の黒近似データ算出手段における黒近似データの算出処理の流れの一例を示す説明図である。
【図１８】  黒表示特性指定データと黒表示時の輝度の指定値との関係を表形式で示した説明図である。
【図１９】  実施の形態５の画像表示装置において、黒表示特性指定手段のメニューの一例について示した説明図である。
【図２０】  実施の形態５の黒近似データ算出手段における黒近似データの算出処理の流れの一例を示す説明図である。
【図２１】  実施の形態６の画像表示装置において、黒表示特性指定手段のメニューの一例について示した説明図である。
【図２２】  実施の形態６の黒近似データ算出手段における黒近似データの算出処理の流れの一例を示す説明図である。
【図２３】  実施の形態７の画像表示装置において、黒表示特性指定手段のメニューの一例について示した説明図である。
【図２４】  実施の形態７の黒近似データ算出手段における黒近似データの算出処理の流れの一例を示す説明図である。
【図２５】  実施の形態８の画像表示装置において、黒表示特性指定手段のメニューの一例について示した説明図である。
【図２６】  実施の形態８の黒近似データ算出手段における黒近似データの算出処理の流れの一例を示す説明図である。
【図２７】  実施の形態９の画像表示装置において、黒表示特性指定手段のメニューの一例について示した説明図である。
【図２８】  実施の形態９の黒近似データ算出手段における黒近似データの算出処理の流れの一例を示す説明図である。
【図２９】  従来の画像表示装置の一構成例を表したブロック図である。
【図３０】  図２９における入力画像処理手段の一構成例を表したブロック図である。
【図３１】  外光の影響のない状態における、鑑賞者の目に入る色の三刺激値との関係を表形式で示した説明図である。
【図３２】  画像表示手段へ入力される画像データと輝度刺激値の関係を示したグラフである。
【図３３】  外光の影響がある状態における、鑑賞者の目に入る色の三刺激値との関係を表形式で示した説明図である。
【図３４】  画像表示手段へ入力される画像データと輝度刺激値の関係を示したグラフである。
【図３５】  画像表示手段における表示の明るさを２倍とし、外光の影響がある状態における、鑑賞者の目に入る色の三刺激値との関係を表形式に示した説明図である。
【符号の説明】
１  入力画像処理手段、２Ａ，２Ｂ  黒補正手段、３  画像表示手段、４Ａ〜４Ｇ  黒近似データ算出手段、５Ａ〜５Ｇ  黒表示特性指定手段、１０Ａ，１０Ｂ  減算データ算出手段、９  ルックアップテーブル、１１  減算手段、１３  リミッタ、１６  乗算係数算出手段、１７  乗算手段、２２  テーブルデータ書込手段、５１，５２  黒補正部。
【手続補正２４】
【補正対象書類名】図面
【補正対象項目名】図１８
【補正方法】変更
【補正の内容】
【図１８】
2002244637.tif 000001